(57)【要約】  本発明は、少なくとも１つのプラグコネクタを含むプラグ接続装置に関する。少なくとも１つのプラグコネクタは、ハウジングと、ケーブルの外側導体に接続するための少なくとも１つのプラグ本体と、ケーブルの内部導体に接続するための少なくとも１つの内導体部分とを有する。ハウジングは、少なくとも１つのプラグ本体に挿入するための少なくとも１つの受け入れ領域を有する。ハウジングに挿入して接続することができる接触要素を提供することにより、接触要素の前方領域がハウジングに挿入されたプラグ本体の外周と電気的に接触することになる。接触要素は、固定装置に電気的に接続され、ケーブルと独立して別の部材と接地接続を確立する。
2019515457.tif 000002
【特許請求の範囲】
【請求項１】
ハウジングと、ケーブルの外側導体に接続するための少なくとも１つのプラグ本体と、ケーブルの内部導体に接続するための少なくとも１つの内導体部分とを有する少なくとも１つのプラグコネクタを有し、前記ハウジングは、前記少なくとも１つのプラグ本体を挿入するための少なくとも１つのレセプタクルを有するプラグ接続装置であって、
前記ハウジングに挿入して接続することができる接触要素であって、前記接触要素の前方領域が前記プラグ本体に電気的に接触する接触要素が提供され、前記接触要素は、前記プラグ本体の外周において前記ハウジングに挿入され、前記接触要素は、固定装置に電気的に接続することにより、前記ケーブルとは独立して別の部材と接地接続を確立するプラグ接続装置。
【請求項２】
前記接触要素の前記前方領域は、前記プラグ本体の前記外周の少なくとも一部にフィットした形状で接続することができる、
請求項１に記載のプラグ接続装置。
【請求項３】
前記プラグ本体及び前記レセプタクルは、前記レセプタクル中の前記プラグ本体の端子位置を確立するように設計される、
請求項１または２に記載のプラグ接続装置。
【請求項４】
前記プラグ本体は、その前記外周に引っ込み部を有し、前記接触要素が前記引っ込み部に係合する、
請求項１から３のいずれか一項に記載のプラグ接続装置。
【請求項５】
前記プラグコネクタは固定要素を有し、前記固定要素は、前記ハウジングの切り欠き部に結合されて、前記固定要素に対する前記ハウジングの移動が少なくとも１つの自由度で制限されるようにすることができる、
請求項１から４のいずれか一項に記載のプラグ接続装置。
【請求項６】
前記固定要素の少なくとも一部は、前記ハウジングに結合される前記プラグ本体の移動経路に位置する、
請求項５に記載のプラグ接続装置。
【請求項７】
前記固定要素は、フィットした形状で前記接触要素に接続される
請求項５または６に記載のプラグ接続装置。
【請求項８】
前記接触要素は、前記固定要素によって前記固定装置に電気的に接続される、
請求項５から７のいずれか一項に記載のプラグ接続装置。
【請求項９】
前記接触要素は、フィットした形状で前記固定装置の隙間に挿入されるか、または前記固定装置と一体型に構成される、
請求項１から８のいずれか一項に記載のプラグ接続装置。
【請求項１０】
前記固定要素は、プラスチック製であり、前記接触要素に挿入して、前記接触要素の前記前方領域を前記プラグ本体に接続させるための通路を有する、
請求項５から９のいずれか一項に記載のプラグ接続装置。
【請求項１１】
前記接触要素の前記前方領域は、端子クランプとして構成される、
請求項１から１０のいずれか一項に記載のプラグ接続装置。
【請求項１２】
前記固定要素の一部は、前記引っ込み部に係合する、
請求項５から１１のいずれか一項に記載のプラグ接続装置。
【請求項１３】
前記固定装置は、前記プラグコネクタの前記ハウジングを固定するための、少なくとも１つの支持具及び／または少なくとも１つのスナップフィット接続部材を有する、
請求項１から１２のいずれか一項に記載のプラグ接続装置。
【請求項１４】
前記少なくとも１つのスナップフィット接続部材は、前記ハウジングと前記固定装置との間に軸方向に沿ってフィットした形状で接続を構成するように、少なくとも部分的に前記ハウジングの外側の溝部に侵入する、
請求項１から１３のいずれか一項に記載のプラグ接続装置。
【請求項１５】
前記固定装置は、少なくとも１つのアイレットを有する、
請求項１から１４のいずれか一項に記載のプラグ接続装置。
【請求項１６】
前記固定装置は、前記別の部材と前記接地接続を確立するように、接続要素を有する、
請求項１から１５のいずれか一項に記載のプラグ接続装置。
【請求項１７】
前記接続要素は、アースコネクタケーブルを前記固定装置に接続するためのクリンプ接続として構成される、
請求項１６に記載のプラグ接続装置。
【請求項１８】
前記固定装置と、前記少なくとも１つのスナップフィット接続部材と、前記接触要素と、前記接地接続用の前記接続要素とは、一体型に形成される、
請求項１６または１７に記載のプラグ接続装置。
【請求項１９】
前記プラグコネクタの前記ハウジング及び前記固定装置は、前記固定装置が前記プラグコネクタの前記ハウジングに挿入された場合、前記固定装置が前記プラグコネクタの前記ハウジングを超えて外側に突出しないように構成される、
請求項１から１８のいずれか一項に記載のプラグ接続装置。
【請求項２０】
前記固定装置は、複数のプラグコネクタを固定し、電気的に接触するために構成される、
請求項１から１８のいずれか一項に記載のプラグ接続装置。
【発明の詳細な説明】
【技術分野】
【０００１】
本発明は、少なくとも１つのプラグコネクタを有するプラグ接続装置に関し、ここで、このプラグコネクタは、ハウジングと、ケーブルの外側導体に接続されるための少なくとも１つのプラグ本体と、ケーブルの内部導体に接続されるための少なくとも１つの内導体部分とを有し、請求項１の前文に記載された通りである。
【背景技術】
【０００２】
ケーブルの組立てにおいて、通常、その導体はプラグコネクタを用いて接続される。プラグコネクタは、プラグ、ソケットまたはアダプタであってよい。本発明の文脈において使用されるプラグコネクタという用語は、全ての変形例を示す。
【０００３】
プラグコネクタは、対応する、相補的な、他のプラグコネクタと電気的な接続を確立するために使用される。
【０００４】
ケーブルをプラグコネクタに接続するために、通常、ケーブルの外側導体に接続されるプラグ本体が提供される。プラグコネクタは、さらに、ケーブルの内部導体に接続するために提供される少なくとも１つの内導体部分を有する。現在は、内部導体または内部導体の部分の数はそれぞれ限定されず、その中で、普通のプラグコネクタ、特にＨＦプラグコネクタ、または同軸ケーブル用のプラグコネクタは、ほとんどの場合には、ケーブルの内部導体に接続するための内導体部分を一つだけそれぞれ有する。
【０００５】
既知のプラグコネクタは、当該少なくとも１つのプラグ本体を挿入するためのレセプタクル（ｒｅｃｅｐｔａｃｌｅ）を有するハウジングを有し、好ましくは、プラスチックのハウジングを有する。
【０００６】
プラグ本体は、通常は、溶接／ろう付け、結合、クランプまたは圧着を用いる、既知の手段によってケーブルの外側導体に接続することができ、または少なくとも１つの内部導体の部分をケーブルの内部導体に接続することができる。
【０００７】
ケーブルのプラグコネクタとの接続を確立することができ、ここで、第１のステップにおいては、ケーブルのケーブルジャケットの部分が剥がされる。従って、外側導体が露出される。外側導体は、例えば、編組ケーブルシールド（ ｂｒａｉｄｅｄ ｃａｂｌｅ ｓｈｉｅｌｄ）とすることができる。その後、支持スリーブを、具体的には、編組ケーブルシールドが支持スリーブを超えて伸びるように、編組ケーブルシールドに圧着する。次の操作ステップにおいて、伸びた編組ケーブルシールドを後ろに折り返して支持スリーブに置くことができる。その後、ケーブルの前端をさらに剥がすことにより、ケーブルの内部導体を露出させることができる。その後、露出されたケーブルの内部導体は、好ましくは、内導体部分がその上に圧着されるように、プラグコネクタの内導体部分に接続することができる。続いて、剥がされたケーブルの前端がプラグ本体に挿入される。好ましくは、プラグコネクタは、ケーブルの外側導体に圧着されるか、または編組ケーブルシールドに圧着され、この編組ケーブルシールドは、好ましくは、支持スリーブで折り返される。従って、プラグ本体は、圧着によって確実にケーブルの外側導体に接続され、内導体部分がプラグ本体内で保護されるように位置決めされる。
【０００８】
続いて、ケーブルのケーブルジャケットは、プラグコネクタの後ろに、好ましくは、１０から１５ｍｍ剥がされ、金属クランプをケーブルの編組ケーブルシールドに直接圧着する。プラグが車両に使用された場合、金属クランプによって車両の車体のような信頼性のあるまたは低抵抗の接地接続をそれぞれに確立し、車両の車体がバッテリの負端子に電気的に接続される。
【０００９】
金属クランプをケーブルに直接取り付ける編組シールドは、編組ケーブルシールドとの第１の位置での任意の可能な接触を最初に達成することができるように、ケーブルジャケットが追加の損傷を受けるという欠点を有する。
【００１０】
本発明は、車両における使用に限定されない。ここで、車両という用語は、本発明の文脈における任意の輸送手段、特に宇宙船を含む、陸上車両、船舶または航空機を含む。
【００１１】
本発明は、特定のプラグ接続装置または特定のプラグコネクタにそれぞれ限定されるものではなく、ここで、本発明は、特に組立てＨＦケーブルに適している。ここでのプラグコネクタは、好ましくは、ＨＦプラグコネクタ、特にＰＬプラグコネクタ、ＢＮＣプラグコネクタ、ＴＮＣプラグコネクタ、ＳＭＢＡ（ＦＡＫＲＡ）プラグコネクタ、Ｎプラグコネクタ、７／１６プラグコネクタ、ＳＭＡプラグコネクタ、ＳＭＢプラグコネクタ、ＳＭＳプラグコネクタ、ＳＭＣプラグコネクタまたはＳＭＰプラグコネクタとして構成される。
【００１２】
プラグコネクタは、いわゆるＦＡＫＲＡプラグコネクタとして構成することができ、これは、ＳＭＢ接続のためのいわゆるＦＡＫＲＡ規格（ＦＡＫＲＡ＝Ｆａｃｈｋｒｅｉｓ Ａｕｔｏｍｏｂｉｌｔｅｃｈｎｉｋ[Ａｕｔｏｍｏｂｉｌｅ  Ｅｘｐｅｒｔ  Ｇｒｏｕｐ]）に準拠する。ここでは、プラグ本体を収容して保護するプラスチックハウジングが設けられ、そして挿入して接続する過程において、プラグ本体をプラスチックハウジングを有する別のプラグコネクタに予め挿入するために使用される。ハウジングは、マッチするハウジングだけが互いに挿入することができるように、機械的コーディングの特徴を有することができる。
【００１３】
ＳＭＢ接続のためのいわゆるＦＡＫＲＡ規格に適した、プラスチックハウジングを有する同軸プラグコネクタは、米国特許出願公開ＵＳ２００３／０１７６１０４Ａ１から公知とされている。
【００１４】
このタイプの同軸プラグコネクタ用のプラスチックハウジングは、ＦＡＫＲＡハウジングとも称され、自動車産業におけるデータ伝送ケーブルに使用される。これらのデータ伝送ケーブルは、一般的には、同軸ケーブル、または類似した方法でシールドされ、単一の導電体に基づくケーブルである。２００４年１０月版のＤＩＮ７２５９４-１は、インタフェース領域におけるこのタイプのＦＡＫＲＡハウジングの機械的寸法、即ち、ハウジングの軸方向部分において、二つのプラスチックハウジングの間に機械的な接続を確立するように、相補的なプラグコネクタと相互に作用する。
【００１５】
本発明は、特にこのタイプのプラグコネクタに適用する。
【００１６】
プラグ本体がＦＡＫＲＡハウジングのようなハウジングに挿入される場合、最適な信号伝送のために相補的なコネクタがプラグコネクタに損傷を与えることなく接続できるように、接続寸法に適切に従わなければならない。
【００１７】
従来技術では、補助固定部材として知られている固定要素が、挿入されたプラグ本体を端子位置に固定するためにハウジングに挿入されることが知られている。ここでの補助固定部材は、プラグ本体の挿入方向と直交する方向にハウジングに挿入される。
【００１８】
既知のプラグコネクタ、特に、ＦＡＫＲＡ規格に従うプラグコネクタが、相補型プラグコネクタへの安全で確実な接続を実現することができる。しかしながら、ケーブルの外側導体、特に、編組シールドを接触させるために、接地接続を確立するためのケーブルジャケットは追加の損傷を受けなければならないという欠点がある。なお、編組シールドへの接触及びケーブルジャケットの剥離は、組立てに相応の努力を必要とし、且つ機能的信頼性の面でリスクがある。
【発明の概要】
【発明が解決しようとする課題】
【００１９】
本発明は、プラグ接続装置の場合、組立てを簡略化し、機能的信頼性を向上させるという目的に基づいている。
【課題を解決するための手段】
【００２０】
この目的は、請求項１によって達成される。
【００２１】
他の請求項では、本発明の有利な設計実施例が説明される。
【００２２】
本発明の実施例に係るプラグ接続装置は、少なくとも１つのプラグコネクタを有する。ここでのプラグコネクタは、ハウジングと、ケーブルの外側導体に接続するための少なくとも１つのプラグ本体と、ケーブルの内部導体に接続するための少なくとも１つの内導体部分とを有する。
【００２３】
好ましくは、プラグ本体は、外側導体に接続するための装置を有し、そして、内導体部分は、好ましくは、ケーブルの内部導体に接続するための装置を有する。
【００２４】
好ましくは、それぞれのプラグコネクタは、ただ一つのプラグ本体を有するが、複数のプラグ本体を一つのプラグコネクタに分配してもよい。
【００２５】
プラグコネクタの設計実施例によると、プラグコネクタは、ケーブルの一つまたは複数の内部導体に接続するための一つまたは複数の内導体部分を有することができる。
【００２６】
ケーブルの内部導体に接続するためのちょうど１つの内導体部分を有する構成は、特にＦＡＫＲＡプラグコネクタとして、プラグコネクタの好ましく設けられた構成に特に適する。このタイプの設計実施例は、同軸ケーブルに接続するためのプラグコネクタが設けられている場合にも特に適している。
【００２７】
本発明の文脈における「プラグ本体」という特徴は、それぞれの場合に一つのプラグコネクタに分配される一つのプラグ本体及び複数のプラグ本体を含むことができる。なお、特徴「内導体部分」という特徴は、ケーブルの対応する数の内部導体に接続され、一つのプラグコネクタに共通に割り当てられる一つだけの内導体部分または複数の内導体部分を有するものとして定義することができる。
【００２８】
本発明の実施例によれば、ハウジングは、少なくとも１つのプラグ本体に挿入するための少なくとも１つのレセプタクルを有する。原則として、ハウジングは、複数のプラグ本体を挿入するための複数のレセプタクル有するように構成することができる。特に好ましい一つの設計実施例において、特に、ハウジングがいわゆるＦＡＫＲＡハウジングである場合、一つのプラグ本体を挿入するための一つのレセプタクルのみが設けられる。しかし、本発明はこれに限定されるものではない。
【００２９】
本発明の実施例によれば、ハウジングに挿入して接続することができる接触要素であって、接触要素の前方領域がプラグ本体に電気的に接触する接触要素が提供され、接触要素は、プラグ本体の外周上においてハウジングに挿入され、ここで、接触要素は、固定装置に電気的に接続することにより、ケーブルとは独立して別の部材と接地接続を確立する。
【００３０】
この解決策により、プラグ接続装置の組立てが容易にされ、機能的信頼性が改善される。
【００３１】
本発明の実施例に係る解決策は、特に簡単な方法で、ケーブルの外側導体と接地リンクとの間の接続を容易にする。このため、接触要素は、ハウジング内に挿入されたプラグ本体に接触し、本発明の実施例によれば、プラグ本体は、ケーブルの外側導体に接続され、それにより、固定装置との電気的接続を確立する。このような接続を確立するために、ケーブルジャケットをハウジングの外側から剥がす必要がなくなり、接地端子クランプがケーブルの編組シールドに圧着される必要もない。本発明の実施例に係る解決策は、追加のケーブルの剥離の過程を必要とせずにハウジング内に接続を確立することを可能にする。
【００３２】
本発明の実施例に係る解決策は、ケーブルの外側導体をプラグ本体に接続することを可能にする。ここでのプラグ本体は、別のプラグ、ケーブル等をプラグ本体に接続するためのコネクタ領域を有することができる。本発明の実施例によれば、別の部材との接地接続である追加の接続を確立するように、接触要素がプラグ本体の外周上でプラグ本体に電気的に接触することをさらに提供することができる。この別の部材は、例えば、車両接地（車体、負のバッテリ端子または同様のもの）のような接地部材であってもよい。
【００３３】
本発明の実施例に係るケーブルをそれぞれ相補的なまたはマッチするプラグコネクタのプラグコネクタに接続するためのプラグコネクタは、プラグコネクタのコネクタ領域に設けることができ、例えば、ケーブルを前方（ｏｎｗａｒｄ）ケーブルに接続するか、またはケーブルを回路基板または電気設備に接続する。ケーブルの外側導体は、追加の接地接続を達成するために、プラグ本体の外周と電気的に接触する接触要素及び固定装置によって、別の部材にさらに接続される。
【００３４】
従って、ケーブルの外側導体は、有利には、接触要素または固定装置によって、この別の部材に電気的に接続することができる。接地接続のため、電気信号伝送の品質を改善することができる。特に、改善されたシールドが確保され、電気的接続が全体的に改善され得る。
【００３５】
接触要素が、プラグコネクタのハウジングに挿入して接続され、別の部材への接地接続を確立するように構成されるので、補助固定部材は、接地接続と組み合わせることができる。ここでの補助固定部材は、組立ての技術者に、プラグコネクタに対するプラグ本体の正しい位置決め及び／またはプラグコネクタのハウジングに対するプラグ本体の正しい位置決めを支持するように構成することができ、補助固定部材は、好ましくは、正しい位置決めの場合のみ、挿入して接続されることができる。好ましくは、これは、接触要素を挿入して接続するための移動経路が、プラグコネクタの部分がそれぞれ対応する方法で互いに位置合わせされるか、または互いに挿入された場合のみ、完全に進入することが可能であるということによって確保される。
【００３６】
固定装置は、任意の方法で構成することができる。特に、固定装置は、例えば、車両車体または他の適切な部材への接地接続を確立することのような簡単な接地接続を確立するように構成することができる。固定装置は、例えば、ねじ接続または類似する手段によって車両の地面に接続することができる。
【００３７】
固定装置が簡単な接地接続を確立するように構成されれば十分である。固定装置自体は、別の部材、例えば、車両車体に直接固定する必要はない。固定装置は、接触要素と別の部材との間の電気的接続を、それ自体を別の部材に機械的に固定する必要なく確立するために機能することで十分である。
【００３８】
プラグコネクタの機械的固定が提供されることにおいて、これは、選択的に、追加のケージによって実行することができる。しかしながら、本発明の一設計実施例において、固定装置自体が、固定装置がそれぞれ直接固定されるか、または固定要素によって機械的に固定されるか、または取り付けられ得るように構成することができる。ここで、接地接続を確立するために、固定または取り付けを別の部材で別々行うことができる。しかし、本発明は、これに限定されるものではない。また、プラグコネクタは、任意で且つ選択的に非導電性の構造要素上で固定装置によって固定することもできる。
【００３９】
本発明の実施例に係るプラグ接続装置は、特に、上述したプラグコネクタ用の任意のプラグコネクタに適用することができ、また、好ましくは、全てのＨＳＤプラグコネクタ、ＦＡＫＲＡプラグコネクタ及び金属外側導体、特に、外側導体をシールドする高圧プラグコネクタに用いることができる。
【００４０】
有利には、接触要素の前方領域は、フィットした形状でプラグ本体の外周の少なくとも一部に接続することができる。
【００４１】
フィットした形状による接続は、良好で確実な電気的の接触を確保する。なお、フィットした形状による接続は、加えて、ハウジング中のプラグ本体の補助固定部材の役割も果たし、それによって接続の寸法も確保することができる。
【００４２】
本発明の実施例によれば、接触要素は、一定の角度でハウジングに挿入し、好ましくは、プラグ本体の長さ方向の軸線または軸方向の軸線に対してそれぞれ直交し、フィットした形状で直交するように整列してプラグ本体に接続される。それによって特に好適な補助固定部材を確立した。
【００４３】
原則として、プラグ本体のハウジングへの接続は、任意の方法で行うことができる。しかしながら、プラグ本体がプラグ本体の軸方向にハウジングのレセプタクルに挿入されると、特に有利である。このため、レセプタクルは、好ましくは、ハウジング中の孔、特に、軸方向の孔として構成することができる。その結果、このタイプのプラグ本体をハウジングに接続させる場合には、接触要素によって特に有利な補助固定部材を確立することができ、それによって、小さい努力によってプラグ本体がもはや不注意または自動的にハウジングから解放されることがなくなり、特に接続寸法もそれによって定義される。
【００４４】
ハウジングは、好ましくは、プラスチック製である。
【００４５】
有利には、プラグ本体及びレセプタクルは、プラグ本体の端子位置がハウジングのレセプタクル内に確立するように設計される。
【００４６】
このタイプのプラグ本体及びレセプタクルの設計は、接触要素がハウジングに挿入される前に、プラグ本体がハウジングに位置決めされ、好ましくは、補助固定部材を確保する。
【００４７】
ハウジングは、好ましくは、プラグ本体が所定の端子位置でラッチ（ｌａｔｃｈ）され、このため、例えば、スナップフィット接続、特に、スナップフィット部材またはスナップフィットフックをそれぞれ使用して、プラグ本体が押し込まれることができるようになるが、プラグ本体が挿入方向とは逆に引き戻されることを防止するように設計される。
【００４８】
ハウジングまたはそのレセプタクルは、好ましくは、当該ハウジングまたはレセプタクルがプラグ本体の主な固定部材として用いられるようにそれぞれ設計される。ここでの主な固定部材は、好ましくは、解放可能に設計される。ハウジングは、好ましくは、このタイプの主な固定部材を既に有することができるＦＡＫＲＡハウジングとして構成される。
【００４９】
有利には、プラグコネクタは固定要素を有し、この固定要素は、ハウジングの切り欠き部に結合されて、固定要素に対するハウジングの移動が少なくとも１つの自由度で制限されるようにすることができる。
【００５０】
好ましくは、固定要素は、接触要素のように補助固定部材として用いられ、一旦当該プラグ本体が所定の端子位置に達すると、補助固定部材は、プラグ本体をハウジング中またはハウジングのレセプタクル中にそれぞれ固定する。
【００５１】
好ましくは、固定要素は、一角度でプラグ本体に提供され、特に好ましくは、当該プラグ本体の軸方向に直交し、それによって特に有利な固定部材を生成する。
【００５２】
有利には、固定要素の少なくとも一部は、ハウジングに結合されるプラグ本体の移動経路に位置する。
【００５３】
特に、プラグ本体が、プラグ本体の軸方向軸線に沿う移動がハウジングのレセプタクルに押し込まれた場合、特に固定要素をハウジングに配置して結合することに適し、固定要素の一部がハウジングに結合されるプラグ本体の移動経路に位置する。これは、特に有利な方法によって実現することができ、プラグ本体が引っ込み部、凹部、溝部または凹部を有する場合、プラグ本体がレセプタクルに再び引き抜かれること及び／または更にレセプタクルに押し込まれることを防止するために、固定要素の少なくとも一部がその中に侵入することができる。
【００５４】
代わりに、適切ではないが、プラグ本体は、固定要素の一部によってブロックされる突出部または凸部を有してもよい。
【００５５】
固定要素は、固定要素が押し込まれて、固定要素がそれぞれプラグ本体を取り付けまたは固定した場合に、固定要素が再び引き抜かれることを防止するように、ハウジングの対応する適切な凹部にラッチするラッチングフックまたは同様のものを有することができる。代わりに、ハウジングもラッチングフックを有することができ、そして、固定要素は、対応する方法で構成することができる。レセプタクルまたはハウジングは、また追加的に主な固定部材を解放した場合、選択的に再び固定要素を取り外して、プラグ本体が再びハウジングから引き出されることによって、ラッチングフックが再び解放可能になる。
【００５６】
特に有利な一設計実施例において、接触要素は、プラグ本体をレセプタクルの端子位置に固定して取り付けるための補助固定部材として、固定要素と共に作用する。
【００５７】
プラグ本体を固定するためには、特に有利には、プラグ本体がその外周に引っ込み部を有する場合、接触要素は、好ましくは、固定要素または固定要素の一部にそれぞれ係合することができる。ここでの引っ込み部は、環状で引っ込み部を囲むように構成することができる。
【００５８】
プラグ本体の設計によれば、プラグ本体が二つの部分または複数の部分の構造を有するように設置することができる。この場合には、接触要素及び／または固定要素の係合のための引っ込み部が、プラグ本体の二つの部分の接続点で構成することができる。
【００５９】
接触要素とプラグ本体との間に特に適切な接続を確立するために、少なくとも接触要素の前方領域を端子クランプとして構成することができる。ここでの端子クランプは、好ましくは、プラグ本体の外周に位置するプラグ本体を少なくとも部分的に含む二つの端子クランプアームを有することができる。端子クランプは、二つのサブ環状端子クランプアームを有し、また、それぞれに横方向にまたは半径方向からプラグ本体の外周に押し出されるように設計することができる。端子クランプは、好ましくは、その間の当該端子クランプがプラグ本体の外周の少なくとも一部を係止め、それによって当該プラグ本体を固定するように設計することができる。端子クランプは、好ましくは、プラグ本体の外周が１８０°の環状の部分より大きい。
【００６０】
接触要素の特定な設計とは独立しているが、特に、接触要素の設計実施例の場合において、前方領域は、端子クランプとして構成され、接触要素が解放可能にプラグ本体に接続されるように設置することができる。
【００６１】
有利には、固定要素は、フィットした形状で接触要素に接続する。
【００６２】
このため、特に、固定要素が隙間を有し、少なくとも前方領域における接触要素は端子クランプとして構成されるように設置することができる。ここでの端子クランプは、隙間を介して突出することができ、ここで、接触要素は予め張力を印加されることによって、接触要素が隙間で膨張し、またフィットした形状で隙間に接続される。この場合、特に有利には、接触要素は凹部または溝部を有し、この凹部または溝部は、隙間の領域に位置決めされることにより、固定要素の隙間の周辺は、接触要素の凹部に係合され、また、このため、フィットした形状を確立する。
【００６３】
端子クランプは、溝部の代わりに突起を有してもよく、隙間は、対応する相補的な方法で設計されてもよい。
【００６４】
一旦、接触要素と固定要素がフィットした形状で接続された場合、一つの部材として扱うことができる。この設計実施例において、有利には、接触要素と固定装置との間の導電接続が固定要素によって確立する。この場合、固定要素は、少なくとも部分的に金属で、好ましくは、完全に金属から構成される。
【００６５】
接触要素と固定要素は、それぞれ、特に、導電性を発現するように固定装置に接続することができる。
【００６６】
一設計実施例において、接触要素が、固定装置との接触なしに固定装置の隙間に位置するように設置することができる。この設計実施例において、少なくとも接触要素及び固定要素が想定された方法でハウジングに導入され、接触要素がプラグ本体に電気的に接触した場合、固定要素は、固定装置に電気的に接続されるように設置することができる。この設計実施例において、固定要素は、少なくとも部分的に導電性であるように構成され、好ましくは、少なくとも部分的にまたは完全に金属から構成される。この場合、固定要素と固定装置との間の接続は、即ち、固定要素が固定装置に、例えば、スナップフィット接続または他の方法で接続されるように行うことができる。しかしながら、本発明の一設計実施例において、プラグコネクタのハウジングだけ固定装置に接続することができ、例えば、同様にスナップフィット接続または他の装置によって、固定要素がハウジングと固定装置との間に位置する。接触領域における固定要素を有する固定装置は、例えば、板状の輪郭を有することができることによって、プラグコネクタまたはそのハウジングを固定装置にそれぞれ固定した後、固定要素がハウジングと固定装置との間に係止め、特に、導電性を発現するように固定装置に接続される。従って、接触要素がプラグ本体と電気的に接触するため、固定要素と接触要素との間の導電接続、好ましくは、フィットした形状の接続に基づいて、それぞれ端子クランプまたは接触要素及び固定要素によってプラグ本体と固定装置との間の導電接続を確立する。
【００６７】
このタイプの設計実施例は、実施が特に容易であり、ただ簡単な組立てステップのみ必要とする。
【００６８】
本発明の実施例によれば、さらに接触要素がフィットした形状で固定装置の隙間に挿入するように設置されるか、または固定装置と一体型になるように構成することができる。
【００６９】
特に、固定要素を用いて接触要素と固定要素との間に導電接続を確立する態様の代わりとして、接触要素を固定装置に直接、特に、導電接続を確立するような方法で接続することができるように設置されてもよい。このため、固定要素は、固定要素の隙間によって可能な接触要素の接続を生成する文脈において記述された同様の方法に応じて、接触要素を挿入し得る隙間を有することができる。それによって、固定装置と接触要素との間にフィットした形状及び選択的に解放可能な接続を確立する。簡単な手段で迅速かつ確実に接続を確立することができる。選択的に、接触要素が、例えば、溶接／ろう付け、接着、リベット止め等の別の方法によって固定装置に接続されるようにすることもできる。接触要素は、固定装置と一体型にするように構成されてもよい。選択的に、固定要素は、特に、接触要素および固定要素の一体型構造の場合には省略することができる。
【００７０】
特に、接触要素が導電性を発現するように固定装置に直接接続された場合には、固定要素の金属構造を省略することができる。この設計実施例において、固定要素がプラスチックから構成されると有利である。この設計実施例において、また、固定要素が、接触要素を挿入し、接触要素を接続するための前方領域をプラグ本体に接続する通路を有することも有利である。
【００７１】
この設計実施例において、固定要素は、まずハウジングに挿入され、例えば、ハウジング内で予め組み立てられる。この前またはこの後に、プラグハウジングは、想定された端子位置までハウジングのレセプタクルに押し込むことができる。続いて、好ましくは、記述された方法で、当該固定要素がプラグ本体のレセプタクル中の位置を固定して、好ましくは、補助固定部材として機能するまで、固定要素をさらに押し込むことができる。その上の接触要素は、任意の位置でハウジングに挿入することができ、 接触要素は、好ましくは、固定要素の通路に挿入し、当該接触要素の前方領域がプラグ本体を接続するまで接触要素が押し込まれる。
【００７２】
好ましくは、この前にフィットした形状で固定装置に接続された接触要素、及び行われるハウジングとの接続に対して、ハウジングが接触要素にクリップフィットされることが有利であり、従って、一方、好ましくは、ハウジングが固定装置に取り付けられ、他方では、プラグ本体が接触要素にクリップフィットして構成され、この接触要素は、前方領域において、好ましくは、端子クランプとして構成される。
【００７３】
もちろん、固定要素と接触要素をハウジングに接続することを他の手順で実行することができる。
【００７４】
固定装置は、好ましくは、少なくとも部分的に金属または導電性材料からそれぞれ構成される。固定装置は、好ましくは、金属から構成される。
【００７５】
接触要素は、少なくとも部分的に導電性材料から構成され、好ましくは、少なくとも部分的に金属から構成され、特に好ましくは、完全に金属から構成される。接触要素は、好ましくは、完全に端子クランプの形で構成され、端子クランプは、好ましくは、プラグ本体が確実にプラグ本体の外周に含まれるように、弾性特性を有する。
【００７６】
有利には、固定装置が、プラグコネクタのハウジングを固定するための、少なくとも１つの支持具及び／または少なくとも１つのスナップフィット接続部材を有する。特に有利には、固定装置は、支持具及びスナップフィット接続部材を同時に有する。
【００７７】
スナップフィット接続部材は、例えば、ハウジングの適切な嵌合要素にスナップ嵌合し、想定の位置でハウジングを固定装置に固定するスナップフィットフックとして構成することができる。または、ハウジングは、固定装置の適切な嵌合部分に係合される一つのまたは複数のスナップフィットフックを有することもできる。固定装置の支持具は、プラグコネクタの下側を規定されたように収納するための、特に、支持するための適切な周辺突起を選択的に有する板状突起として構成することができる。
【００７８】
本発明の一つの改良形態において、少なくとも１つのスナップフィット接続部材が、ハウジングと固定装置との間で軸方向（または挿入方向、それぞれ）フィットした形状の接続を構成するように、少なくとも部分的にハウジング外側の溝部に侵入するように構成することができる。
【００７９】
二つのスナップフィット接続部材が、スナップフィットフックの方法で配置されることが好ましい。ここでのスナップフィットフックは、二つの対向する外側上のプラグコネクタのハウジングを少なくとも部分的に、好ましくは完全に含むことができる。スナップフィットフックは、プラグコネクタのハウジングの外周に押し付けられるように設計することができる。ここで、その間のスナップフィットフックは、プラグコネクタのハウジングの外周の一部をスナップ嵌合し、それによって（解放可能に）固定装置をハウジングに固定することが好ましい。
【００８０】
固定装置は、少なくとも１つのアイレットを有することができる。固定装置と接地部材（例えば、車両接地）との間に接続を確立するように、アイレットを提供することができる。このため、例えば、ねじをアイレットに押し込むことができ、そして固定装置を対応する方法でねじ込むことができる。ここで、他の接続可能性も考えられ、特に、固定装置が地面部分から解放されることを可能にする解放可能な接続が考えられる。好ましくは、低抵抗の電気的接地接続を確立する。
【００８１】
本発明の一つの改良形態において、固定装置が、別の部材との接地接続をそれぞれ確立または構成するために、接続要素を有するように特に配置することができる。接続要素は、上述したアイレットであることもできる。
【００８２】
一実施例において、固定装置は、複数の接続要素または一つの接続要素のみでそれぞれ構成することができる。
【００８３】
固定要素は、好ましくは、別の部材との接地接続をそれぞれ確立するために、または接続を実現するように、接続要素を有するように構成することができる。固定装置は、特に好ましくは、固定装置をハウジングに固定するための設計を有し、特に、固定装置を規定されたようにハウジングに固定し、特に、接触要素の固定と共に、固定装置がハウジング上の正確な位置決めを形成するように構成することができる。
【００８４】
固定装置は、機械的に別の構造要素に固定する装置、例えば、別の部材にも固定する装置を有するように構成することができる。しかしながら、これは選択的である。主なポイントは、固定装置を機械的に別の部材に固定することではない。本発明によれば、もし固定装置の別の構造要素への固定が第１の位置で提供される場合、これは他の方法でも実現することができる。本発明によれば、固定装置が接触要素と別の部材との間に導電接続を確立するために、接触要素が導電性を発現するように固定装置に接続されるように構成することが不可欠であり、その中で接続は、接地接続である。
【００８５】
特に好ましい改良形態において、接続要素は、アースコネクタケーブルを固定装置に接続するためのクリンプ接続（ｃｒｉｍｐ ｃｏｎｎｅｃｔｉｏｎ）として構成することができる。従って、別の部材への接地接続は、簡単な方法でそれぞれ確立または構成することができる。
【００８６】
固定装置と別の部材との間の電気的接続として、アースコネクタケーブルを使用するのは、取り扱いの面で特に柔軟性があることが既に証明されている。ここでのアースコネクタケーブルは、一つ、二つのまたはそれ以上の圧着端子クランプのようなクリンプ接続によって、固定装置のコネクタ領域に機械的に安定な方法で電気的に接続することができる。別の部材または接地部材にそれぞれ接続されるために、アースコネクタケーブルは、固定装置の端子に接続されていない端子には、例えば、アイレット、ケーブル足部等を有することができ、例えば、それは逆にアースコネクタケーブル上に圧着嵌合される。この場合、アースコネクタケーブルは、例えば、別の部材にねじ込まれてもよく、または別の部材の接続位置に挿入して嵌合されてもよい。
【００８７】
アースコネクタケーブルは、接着、溶接／ろう付けまたはクランプのような別の方法で別の部材または接地部材にそれぞれ接続することもできる。アースコネクタケーブルと固定装置の接続は、他の方法によっても実現することができ、例えば、接続要素は、はんだ付け接続、接着面及び／またはクランプ面として構成することができる。
【００８８】
一つの好ましい改良形態において、特に、固定装置と、少なくとも１つのスナップフィット接続部材と、接触要素と、及び接地接続のための接続要素とを一体型に構成することができる。
【００８９】
部材を有する固定装置は、一体型の金属板として構成することが好ましい。この場合、固定装置は、パンチング及び曲げ技術によって製造することができる。
【００９０】
一つの改良形態において、プラグコネクタのハウジング及び固定装置は、固定装置がプラグコネクタのハウジングに挿入された場合、固定装置がプラグコネクタのハウジングの外側から突出して超えないように構成することができる。
【発明の効果】
【００９１】
特に、固定装置が金属板として構成される場合、金属板は、プラグコネクタのハウジングの外周に沿って（好ましくは、ハウジングの指定された外側と同一平面上に、またはハウジングの指定された外側に対して凹んでいる）密接して担持される。従って、プラグコネクタは、コンパクトな構造を有することができ、固定装置を損傷から保護することができる。
【００９２】
有利には、固定装置は、複数のプラグコネクタを固定し、且つ電気的に接触するように構成される。
【００９３】
ここでの電気的な接触は、固定装置の一部とすることができるか、または既に記述された方法で固定装置に接続することができる接触要素によって行うことができる。
【００９４】
好ましくは、プラグコネクタは、それぞれ固定装置に挿入可能であるか、または固定装置に互いに平行に接続することができる。
【００９５】
複数のプラグコネクタの固定装置を受け入れるための一つの設計実施例において、固定装置を車両接地のような接地部材に固定するための二つまたはそれ以上の接続可能性、特に、アイレットがあると有利である。
【００９６】
本発明の実施例に係る接触要素は、特に、固定要素と共に、補助固定部材のタスクまたは一般固定のタスクをそれぞれ有利に担うことができ、そして接続の寸法も確保することができ、ケーブルの外側導体と接地部材との間に接続を確立する。本発明の実施例に係るプラグ接続装置が車両に使用された場合、接地部材は、車両接地、特に、車両バッテリの負端子との間接的な電気的接続を確立するためであることができる。
【００９７】
本発明の実施例に係るプラグコネクタは、データ伝送ケーブル、特に、高周波用途に使用されるように特に構成することができる。
【図面の簡単な説明】
【００９８】
以下、添付図面を参照して、原理として、本発明の例示的な実施例を説明する。
【００９９】
図面は、本発明の様々な特徴が組み合わされて示された好ましい例示的な実施例を互いに示している。一つの例示的な実施例の特徴は、同じ例示的な実施例の他の特徴とは独立して実現することができ、そして当業者によって、他の例示的な実施例の特徴と組み合わせられて、さらに目的の組み合わせを形成することができる。
【０１００】
図面において、
【０１０１】
【図１】本発明の実施例に係るプラグ接続装置を示す斜視図であり、プラグコネクタのハウジングを通る垂直方向に走行する長さ方向の断面を有し、プラグ本体は、断面で示されていない。
【０１０２】
【図２】図１によるプラグ接続装置を示す背面図を示す。
【０１０３】
【図３】図２の矢印ＩＩＩの方向から見たプラグ接続装置を示す斜視図を示す。
【０１０４】
【図４】図１によるプラグ接続装置の水平長さ方向断面図を示す。
【０１０５】
【図５】接触要素及び固定要素を有する固定装置の正面から見た平面図を示す。
【０１０６】
【図６】図５を背面から見た図を示す。
【０１０７】
【図７】第２の実施例における接触要素及び固定要素を有する固定装置の正面から見た平面図を示す。
【０１０８】
【図８】プラグコネクタのハウジング中のプラグ本体及び固定要素の可能な構成要素の図を示す。
【０１０９】
【図９】複数のプラグコネクタを固定し、且つ電気的に接触させるための固定装置の後部から見た斜視図を示す。
【０１１０】
【図１０】図９の固定装置の正面から見た斜視図を示す。
【０１１１】
【図１１】複数のプラグコネクタを固定し、且つ電気的に接触させるための固定装置の後部から見た図を示す。
【０１１２】
【図１２】一体型の固定装置の特に好ましい実施例を示す。
【０１１３】
【図１３】図１２による一体型の固定装置と共に使用するためのプラグコネクタの特に好ましい実施例を示す。
【０１１４】
【図１４】図１２による固定装置が挿入された、特に好ましい図１３のプラグコネクタを示す図である。
【発明を実施するための形態】
【０１１５】
例示的な実施例における本発明に係るプラグ接続装置は、いわゆるＦＡＫＲＡ規格に従って説明され、ここで、以下は本発明に必須となるそれらの特徴だけより詳細に説明される。潜在的な実施形態と変形例は、ＤＩＮ７２５９４に由来する。
【０１１６】
しかしながら、本発明及び説明される例示的な実施例は、それぞれＦＡＫＲＡプラグコネクタまたはＦＡＫＲＡハウジングに限定されると理解されるべきではない。本発明の実施例に係る解決策は、任意のプラグコネクタに適用可能である。
【０１１７】
以下に示された図１から図１４の特徴は、技術的に排除されない限り、任意の方法で互いに組み合わせることができる。
【０１１８】
本発明は、異なる変形例で実現することができる。例示的な実施例において、例示的な方法で二つの変形例が示されている。ここでの図１から図１１は、中に固定装置２及び接触要素１３を互いに離間して挿入可能となるよう構成される、第１の変形例を示している。これらの図における固定装置２は、固定装置が他の構造要素／部材に機械的に固定され得るようにも構成される。図１２から図１４は、本発明の一つの特に好ましい変形例を示し、この変形例によって、固定装置２が接触要素１３と一体型に構成される。図１２から図１４における固定装置２には、固定装置２を他の（任意）構造要素に機械的に構成する装置が設けられていない。しかしながら、原則としてこれも可能である。図１２から図１４に固定装置２と接触要素１３との一体型の構造を示したが、これは必須ではない。固定装置２及び接触要素１３は、別個の要素として構成することができ、電気的にのみ接続され、好ましくは、互いに機械的に接続される。
【０１１９】
図１は、本発明の実施例に係るプラグコネクタ１と、固定装置２とを有するプラグ接続装置の垂直の長さ方向断面を示す。
【０１２０】
プラグコネクタ１は、ハウジング３を有し、ハウジング３は、図２から図４及び図８から図１１にもより詳細に示される。ここで、これは、プラグコネクタ１のいわゆるＦＡＫＲＡハウジングであることができる。
【０１２１】
図１３及び図１４は、ハウジング３とは幾分異なるハウジング３の変形例を示しているが、好ましくは、ＦＡＫＲＡ規格と互換性のあるように構成される。
【０１２２】
ハウジング３は、好ましくは、プラスチックから構成される。
【０１２３】
プラグコネクタ１は、さらにケーブル６の外側導体５に接続されるプラグ本体４を有し、このケーブルは、図１では概略的な方法で示されている。プラグ本体４を外側導体５に接続するのは、既知の方法、例えば、溶接／ろう付け、接着、クランピングまたは圧着によって実行することができる。例示的な実施例において、プラグ本体４を外側導体５に圧着したように（図面により詳細に示していない）配置されている。このため、プラグ本体４は、複数の部分として選択的に構成することができ、プラグ本体４の少なくとも１つの部分を、好ましくは、外側導体５に圧着したように構成し、これは、好ましくは、外側導体５が露出するまでケーブル６のケーブルジャケット７が剥離することにより実行することができる。好ましくは、外側導体５は、編組シールドであることができる。その後、プラグ本体４をこの編組シールドに圧着することができる。このため、選択的に、まずは、支持スリーブ（図示せず）外側導体５に圧着し、特に、編組シールドに圧着し、その後、編組シールドチューブを支持スリーブに折り返されるようにし、また続いてプラグ本体４の部分またはプラグ本体４に接続するための接続具または一体型のプラグ本体４は、折り返した外側導体５に圧着され、または他の方法によって外側導体５に接続される。
【０１２４】
プラグコネクタ１は、ケーブル６の内部導体９に接続するために設けられた少なくとも１つの内導体部分８（図４を参照）をさらに有する。ここでの接続は、例えば、溶接／ろう付け、接着、クランプまたは圧着によって実現することができる。例示的な実施例において、内導体部分８がケーブル６の内部導体９に圧着されるように配置する。好ましくは、一旦ケーブル６の外側導体５が露出され、好ましくは、後ろに向って折り畳み、プラグ本体４を外側導体５に圧着する前に、内導体部分８をケーブル６の内部導体９に接続させる。内導体部分８を内部導体９に固定するために、まず内部導体９を剥がすことができ、これは既知の手段によって行うことができる。
【０１２５】
図４は、プラグ本体４内の内導体部分８の輪郭及び配置の断面を例示的な方法で示す。図１と併せて見ると、ここでは、プラグコネクタ１が、他の相補型プラグコネクタ（図示せず）を取り付けるための、及び他の相補型プラグコネクタを内導体部分８及びプラグ本体４に電気的に接続するためのコネクタを提供する方法を示す。
【０１２６】
図１３及び図１４に示されたプラグコネクタ１の場合、ケーブル６の外側導体５（図示せず）への接続及びケーブル６の内部導体９の内導体部分８への接続は、原則として同様または同一の方法で提供することができる。
【０１２７】
例示的な実施例では、プラグ本体４は単一の内導体部分８を収容するように示されている。 もちろん、プラグ本体４は、対応する数の内部導体９に接続される複数の内導体部分８を収容することもできる。
【０１２８】
なお、例示的な実施例では、プラグコネクタ１は一つのプラグ本体４を収容するように示されている。原則として、プラグコネクタ１が複数のプラグ本体４を収容するように構成することができる。例示的な実施例は、類似した方法で理解されるべきである。 
【０１２９】
図面から分かるように、特に、図１、図４、図８及び図１３から分かるように、ハウジング３は、プラグ本体4に挿入するためのレセプタクル１０を有する。例示的な実施例では、レセプタクル１０は、ハウジング３の孔を通って軸方向に延びるように構成される。なお、例示的な実施例では、それぞれプラグ本体４の長さ方向の軸線に沿ってまたは軸方向Ａに沿って移動することにより（図１３を参照）、プラグ本体４はハウジング３またはハウジング３のレセプタクル１０にそれぞれ挿入するように構成される。ここでのプラグ本体４及びレセプタクル１０は、プラグ本体４がレセプタクル１０中の端子位置にあるように設計される。端子位置を確立するためには、好ましくは、その端子位置にあるプラグ本体４は、知覚可能な方法でレセプタクル１０にラッチするように構成される。このため、例示的な実施例では、ハウジング３は、少なくとも１つのラッチ要素１１（図４を参照）を有する。ラッチ要素１１は、プラグ本体に押し込まれた場合、横方向にまたは半径方向にそれぞれ屈曲し、プラグ本体４の進入を許すが、プラグ本体４の端子位置に達すると、戻って、好ましくは、跳ね返って、ラッチ要素１１の前または非偏向位置に戻り、プラグ本体４が押し込み方向と逆になるように引き戻された場合、ラッチ要素１１はプラグ本体４の経路を遮断する。ラッチ要素１１は、好ましくは、例えば、ドライバーを押すことによって、必要な場合にハウジング３から、またはレセプタクル１０から再びプラグ本体４を取り戻すことができるように、動作可能であり、したがって選択的に偏向することができるように設計することができる。
【０１３０】
プラグ本体４は、好ましくは、プラグ本体４がレセプタクル１０内のその端子位置に達した場合、ラッチ要素１１が侵入する引っ込み部１２を有する。ここで、これは、任意の溝部、凹部等であることができる。しかしながら、好ましくは、環状に囲まれる引っ込み部１２の構造が既に特に適切であることが判明した。引っ込み部１２は、例えば、プラグ本体４が二つのまたは複数の部分の構造を有するように製造することができ、その中、引っ込み部１２がプラグ本体４の二つの部分の間の接続領域に構成することが好ましい。
【０１３１】
例示的な実施例では、レセプタクル１０とプラグ本体４が機械的なコーディング特徴を有することにより、ハウジング３に使用されないプラグ本体４の嵌合を機械的に防止することができる。
【０１３２】
本発明の実施例によれば、ハウジング３に挿入して接続される接触要素１３、接触要素１３の前方領域１３ａがプラグ本体４に電気的に接触するようにして、ハウジング３に挿入され、当該プラグ本体４の外側周辺に配置される。ここでの接触要素１３は、導電的な方法で固定装置２に接続される。それによって、別の部材２４（図１４を参照）への接地接続、例えば、車両の導電体部分への接続は、ケーブル６とは独立して確立することができる。図１、図７及び図１２では、特に接触要素１３のプラグ本体４の外側周辺を含む前方領域１３ａを明確に示している。図４の水平の長さ方向で示された断面は、接触要素１３の前方領域１３ａの短い部分だけ示し、接触要素１３は、断面で示されたプラグ本体４によって遮られている。
【０１３３】
図５、図７、図９、図１０及び図１２は、接触要素１３、特に、挿入されたプラグ本体４を除いて、接触要素１３の前方領域１３ａを示している。
【０１３４】
接触要素１３の固定装置２との接続は、特に図２、図６、図７、 図９、 図１０及び図１１から得ることができる。
【０１３５】
しかしながら、図１２から図１４における変形例には、接触要素１３は、好ましくは、上述したように、固定装置２と一体型になるように構成されている。
【０１３６】
例示的な実施例では、接触要素１３の前方領域１３ａは、プラグ本体４の外側周辺の少なくとも一部にフィットした形状で接続されている。接触要素１３の前方領域１３ａは、ここでは、端子クランプ（ｔｅｒｍｉｎａｌ ｃｌａｍｐ）１３ａとして構成されている。ここでの端子クランプ１３ａは、二つの端子クランプアームを有し、端子クランプアームは、好ましくは、弾性を有し、プラグ本体４の外周に接続するように構成され、当該端子クランプアームの圧力逃がし位置から偏向され、一旦、プラグ本体４の外周に接続されると、できるだけ再び跳ね返って、その間でプラグ本体４を収容または含む。
【０１３７】
原則として、接触要素１３は、任意の位置でプラグ本体４と接触することができる。例示的な実施例では、接触要素１３またはその端子クランプ１３ａがプラグ本体４の引っ込み部１２に係合するように構成される。例示的な実施例におけるラッチ要素１１も、同一の引っ込み部１２に係合されるが、これは必須ではない。ここで、これらは異なる引っ込み部、凹部、溝部等であってもよい。しかしながら、共通の引っ込み部１２の使用は、構造的には有利であり、したがって経済的な面でも有利である。
【０１３８】
例示的な実施例では、接触要素１３がハウジング３に位置するように構成され、プラグ本体４がその端子位置に達した場合、接触要素１３が引っ込み部１２に係合され、それによってプラグ本体４の接続の寸法も確保される。
【０１３９】
図１から図１１から、この変形中のプラグコネクタ１は固定要素１４を有し、固定要素１４は、ハウジング３の隙間１５（図４及び図８を参照）に結合されて、固定要素１４に対するハウジング３の移動が少なくとも１つの自由度で制限されるようにすることができる。固定要素１４が直接及び／または接触要素１３によって固定装置２に固定された場合、ハウジング３は、固定要素１４に対して少なくとも１つの自由度での移動の制限、好ましくは、少なくともプラグ本体４を押し込み及び引き出しの移動方向での制限は、特に有利である。この場合、固定装置２に対するハウジング３の移動は、好ましくは、少なくとも提出された移動方向、または長さ方向、またはハウジング３の軸方向Ａにそれぞれ既に固定要素１４によって制限される。 
【０１４０】
固定要素１４とハウジング３の隙間１５とは、当該ハウジング３による移動に関して、ハウジング３は固定要素１４に対してさらなる自由度でも制限するように設計されることが好ましい。なお、固定要素１４が完全に隙間１５に押し込まれた場合、固定要素１４がハウジング３に提供される端子位置にラッチされるようにすることができる。このため、ラッチングフックを配置することができる。ラッチングフックは、好ましくは、隙間１５からまたはハウジング３から再び固定要素１４を取り戻すために、解放可能である。
【０１４１】
固定要素１４を隙間１５とラッチングフックとの間にフィットした形状で収容することにより、固定要素１４とハウジング３とを実質的に移動不可能に相互に接続することが得られる。
【０１４２】
特に、固定要素１４の少なくとも部分１４ａがプラグ本体４の移動経路に伸び、プラグ本体４は、ハウジング３に結合されることが、図４の図示から得られる。本文の例示的な実施例において、固定要素１４の部分１４ａは、引っ込み部１２に伸びて、プラグ本体４をハウジング３から引き出しまたはレセプタクル１０から引き出す場合、再び部分１４ａによってブロックされる。
【０１４３】
例示的な実施例では、接触要素１３及び固定要素１４の両方が、直交移動によってプラグ本体４に接続されることが示される。
【０１４４】
従って、プラグ本体４がハウジング３中の端子位置に挿入されると、接触要素１３及び固定要素１４は、プラグ本体４に向う方向に直角に伸びる。
【０１４５】
固定要素１４の部分１４ａは、端子クランプ１３ａ及びラッチ要素１１と同一の引っ込み部１２に伸びるが、これは選択的である。
【０１４６】
特に、図２、図６、図９及び図１０から分かるように、図１から１１の変形例における接触要素１３は、フィットした形状で固定装置２の隙間１７に挿入される。接触要素１３は、例えば、溶接／ろう付け、接着またはリベット止め等の任意の方法で固定装置２に接続することもできる。接触要素１３は、固定装置２と組み合わせて、一つの部分または固定装置２と一体型になるよう構成されることもできる。図１２から図１４の変形例には一体型の構成を示した。
【０１４７】
接触要素１３と固定装置２との間の良好な機械的および電気的接続は、例示的な実施例に示されるフィットした形状の接続によって確立される。
【０１４８】
全ての例示的な実施例において、固定装置２及び接触要素１３は、好ましくは、少なくとも部分的に導電性であるように構成され、固定装置２及び接触要素１３は、好ましくは、少なくとも部分的に導電性金属製である。固定装置２及び／または接触要素１３は、好ましくは、実質的に完全に金属から形成され、特に好ましくは、完全に金属から形成される。
【０１４９】
接触要素１３と固定装置２の隙間１７とのフィットした形状の接続は、以下の面で特に有利に確立することができ、即ち、接触要素１３が弾性を有し、また引っ込み部１８を有するように構成され、隙間１７の周辺は引っ込み部１８に係合されることにより、接触要素１３を隙間１７に固定させる。図１から図１１による例示的な実施例に示されるように、接触要素１３は、好ましくは、互いに鏡対称に動作する二つの端子クランプアームを有する設計実施形態を有し、各状況において、一つの引っ込み部１８を有し、隙間１７の周辺は、引っ込み部１８に係合され、例えば、図２に示された通りである。
【０１５０】
代わりに、接触要素１３は、突起部を有することもでき、そしてフィットした形状の接続を確立するために、隙間１７は対応して相補的な方法で構成することができる。
【０１５１】
特に、固定要素１４は、接触要素１３を挿入し、接触要素１３の前方領域、即ち、端子クランプ１３ａをプラグ本体４に接続するための通路１９を有することが、図８及び図９から得られる。ハウジング３は、接触要素１３を収容するためのいずれの追加の隙間も有する必要がないという利点を有するが、通路１９は、簡単な方法で固定要素１４に構成することができ、固定要素１４は、いずれにせよ既にハウジング３の隙間１５にある。そのため、本発明によれば、通路１９が固定要素１４に存在するため、接触要素１３はハウジング３に挿入される。
【０１５２】
図１から図１１の例示的な実施例のおける通路１９は、接触要素１３の各端子クランプアームに対して一つの通路を実現するように二つの部分に構成される。
【０１５３】
この実施例における固定要素１４は、好ましくは、プラスチックから構成される。この実施例における固定要素１４は、好ましくは、導電性ではない。
【０１５４】
図７は、固定要素１４の代わりの設計実施例を示す。固定要素１４の比較的平坦な構造が図７に示されたが、これは現在のポイントではない。図７の例示的な実施例と上記の例示的な実施例の異なるところは、基本的に、接触要素１３が固定要素１４の隙間２０に挿入する点である。ここでの接触要素１３は、実施例で説明された方法で設計することができ、この場合、固定要素１４の隙間２０の周辺は、接触要素１３の引っ込み部１８にそれぞれ係合され、または接触要素１３の端子クランプアームに接続され、端子クランプアームは、鏡対称となるように動作することで、フィットした形状で隙間２０に接触要素１３を収容する。
【０１５５】
図７に示された例示的な実施例は、接触要素１３と固定装置２との間の直接接続を提供していない。図７の例示的な実施例によれば、接触要素１３と固定装置２との間の電気的接続は、固定要素１４によって行う。このため、固定要素１４は、少なくとも部分的に導電性であり、好ましくは、少なくとも部分的に金属からなるように構成され、特に好ましくは、実質的にまたは完全に金属製である。接触要素１３は、固定装置２の隙間１７に緩く配置することができる。固定要素１４は、例えば、スナップフィット接続によって固定装置２に接続されるように構成することができる。しかしながら、他の方法で接続することもできる。原則として、完全に固定要素１４と固定装置２との間の固定接続を省略することもできる。特に、ハウジング３が固定装置２に接続された場合、固定要素１４がハウジング３と固定装置２との間に嵌め合い、それによってに固定した場合、これは可能である。
【０１５６】
原則として、図７の例示的な実施例による固定要素１４は、ハウジング３の隙間１５に挿入されて、固定要素１４に対するハウジング３の移動が少なくとも一つの自由度で制限されるようにすることができる。この場合、図７の実施例の固定要素１４は、当該固定要素１４が部分１４ａを有するように設計することもでき、固定要素１４が位置決めされた場合、この部分１４ａがプラグ本体４の変位経路に侵入して、プラグ本体４がハウジング３に結合される。
【０１５７】
図１から図１１からわかるように、固定装置２は、プラグコネクタ１のハウジング３を固定するための支持具２１及び／または少なくとも１つのスナップフィット接続部材２２を有することができる。図１から図１１の変形例の例示的な実施例において、支持具２１及びスナップフィット接続部材２２が提供され、支持具２１にはハウジング３の下側を支持することができ、スナップフィット接続部材２２は、例示的な実施例ではスナップフィットフックとして構成される。ここでの支持具２１は、ハウジング３の水平移動をさらに具体的に画定するために、固定端を有してもよい。
【０１５８】
なお、固定装置２は、少なくとも１つのアイレット２３または複数のアイレット２３を有することができ、固定装置２を接地部材または車両接地または同様のものの別の部材２４に電気的かつ機械的に接続するために設けることができる。
【０１５９】
図９から図１１は、複数のプラグコネクタ１を収容、固定、及び電気的に接触させるための固定装置２の設計実施例を示す。例示的な実施例では、三つのプラグコネクタ１が示されたが、本発明は、固定装置２が収容できる特定の数のプラグコネクタ１に限定されない。図９から図１１の例示的な実施例において、固定装置２は、二つのアイレット２３を有する。または、一つのアイレットのみまたは複数のアイレット２３が設けられてもよい。なお、全ての固定装置２において、アイレット２３の設計またはアイレット２３の存在は、選択的である。選択的に、アイレット２３は、完全に省略することができるが、有利には、固定装置２が簡単な方法で接地要素または別の部材２４にそれぞれ取り付けられることが有利である。
【０１６０】
図１から図１１の変形例の例示的な実施例から導き出すことができるように、固定要素１４及び接触要素１３がプラグ本体４に提供されていない限り、ハウジング３の対応する設計によってプラグ本体４を固定することができ、特に、ラッチ要素１１によって実行する。これは、主な固定部材と称される。
【０１６１】
固定要素１４及び／または接触要素１３をその端子位置に押し込んだ後、以前にハウジング３に位置決めしたプラグ本体４は、当該固定要素１４及び／または当該接触要素１３によって固定することができる。これは、補助固定部材と称され、接触要素１３と固定要素１４との相互作用が、これに対して特に有利である。ここで、接触要素１３及び固定要素１４は、ハウジング３でのプラグ本体４の位置の正確な着座も、ひいては相補的なプラグコネクタへの接続のための接続の寸法（より詳細には図示せず）にも関与することができる。
【０１６２】
図８は、いわゆるプリラッチング位置にある固定要素１４を示す。固定要素１４は、好ましくは、ハウジング３内に予め組立てられている。プラグ本体４を組立てるには、まずプラグ本体４をハウジング３に挿入し、続いて、プラグ本体４がハウジング３内の端子位置に到達した場合、補助固定部材１４をその端子ラッチング位置に押し込む。
【０１６３】
図９及び図１０における例示的な方法に示されたように、プラグコネクタ１は、既に固定装置２に接続されている接触要素１３に続いてクリップフィットすることができる。
【０１６４】
図１２から図１４に示された変形例では、固定要素１４を省略することができる。
【０１６５】
図１２は、固定装置２の特定の変形例を示し、当該変形例は、原則として好ましい。図１３は、この変形例に適したハウジング３を示し、図１４は、組立て位置にある固定装置２及びハウジング３を示す。もちろん、技術的に除外されていない限り、上記のような特徴の全てをこの変形例の特徴と組み合わることができる。
【０１６６】
この変形例の固定装置２は、同様に接触要素１３を有するが、接触要素１３は、固定装置２と一体型になるように構成することが好ましい。なお、プラグコネクタ１のハウジング３を固定するための二つのスナップフィット接続部材２２が設けられ、このため、当該スナップフィット接続部材２２がハウジング３を囲んでその外側に設けられる。ハウジングの外側には、溝部２５が設けられ、スナップフィット接続部材２２は、ハウジング３と固定装置２との間で軸方向Ａに沿ってフィットした形状の接続を構成するように、溝部２５に侵入することができる。スナップフィット接続部材２２も、固定装置２と一体型になるように構成することが好ましい。スナップフィット接続部材２２は、任意の接続要素として構成され、特に、当該スナップフィット接続部材２２がハウジング３に侵入し、それによって、固定装置２とハウジング３との間に機械的関係、特に、フィットした形状及び／またはフォースフィットの接続を確立する。
【０１６７】
固定装置２は、最終的に、別の部材２４との接地接続を確立するための接続要素２６を有する。接続要素は、現在、クリンプ接続２６として構成されており、固定装置２と一体型であることが好ましい。
【０１６８】
別の部材２４（図１４を参照）の接地接続を構成するためのアースコネクタケーブル２７は、好ましくは、クリンプ接続２６によって固定装置２に圧着嵌合することができる。このため、アースコネクタケーブル２７は、固定装置２に圧着嵌合されない端部に、好ましくは、電気的に及び機械的に別の部材２４に固定するためのケーブル足部２８（または同様のもの）を有することができる。
【０１６９】
特に図１２から図１４の変形例による固定装置２は、好ましくは、薄い金属板として構成することができる。固定装置２は、パンチング及び曲げ部材として構成することができる。
【０１７０】
プラグコネクタ１のハウジング３と固定装置２は、当該固定装置がプラグコネクタ１のハウジング３に挿入された場合、固定装置２がプラグコネクタ１のハウジング３の外側を超えて伸びないように構成されていることが好ましく、好ましくは、凹状である。このため、図１３及び１４に示すように、ハウジング３は、適切な凹部及び／または溝部を有することができる。
【図１】
2019515457.tif 000003
【図２】
2019515457.tif 000004
【図３】
2019515457.tif 000005
【図４】
2019515457.tif 000006
【図５】
2019515457.tif 000007
【図６】
2019515457.tif 000008
【図７】
2019515457.tif 000009
【図８】
2019515457.tif 000010
【図９】
2019515457.tif 000011
【図１０】
2019515457.tif 000012
【図１１】
2019515457.tif 000013
【図１２】
2019515457.tif 000014
【図１３】
2019515457.tif 000015
【図１４】
2019515457.tif 000016
【国際調査報告】
2019515457.tif 000017
2019515457.tif 000018
2019515457.tif 000019
2019515457.tif 000020
2019515457.tif 000021
2019515457.tif 000022